(57)【特許請求の範囲】
【請求項１】
ペットの部位のうち、ペット用装飾具の装着部位を挟持する挟持部と、
前記挟持部を開閉動作させる取手部と、
前記ペット用装飾具の装着部材が前記挟持部を介して着脱可能に取り付けられる取付部と、
前記取付部に取り付けられた前記装着部材を、前記挟持部を介して前記挟持部の外方に向けて案内する案内部とを備え、
前記案内部が、前記取付部から出没可能な突起部であり、
前記突起部を出没動作させる操作部を備えることを特徴とするペット用装飾具の装着補助クリップ。
【請求項２】
前記操作部が、前記取手部に設けられていることを特徴とする請求項１に記載のペット用装飾具の装着補助クリップ。
【請求項３】
前記装着部材を案内する案内方向に向けて傾斜する傾斜部が、前記突起部に形成されており、
前記傾斜部は、前記取付部内に没した状態において、前記傾斜部の後端部から先端部にわたって出動作するようになっていることを特徴とする請求項１又は請求項２に記載のペット用装飾具の装着補助クリップ。
【請求項４】
前記傾斜部は、前記取付部内に没した状態において、前記取付部の後方から前方にわたって出動作するようになっていることを特徴とする請求項３に記載のペット用装飾具の装着補助クリップ。
【請求項５】
前記突起部が、前記挟持部の幅方向の外方に向けられて対をなして設けられており、
前記操作部が、前記外方に向けられて対をなして前記取手部に設けられていることを特徴とする請求項１から請求項４のいずれか一項に記載のペット用装飾具の装着補助クリップ。
【請求項６】
前記突起部と前記操作部とを連結する連結部が回転可能に設けられており、
前記連結部の回転動作により、前記突起部と前記操作部とが、互い違いに出没動作することを特徴とする請求項１から請求項５のいずれか一項に記載のペット用装飾具の装着補助クリップ。
【請求項７】
前記装着部材が、環状の弾性部材からなっており、
前記取付部は、前記装着部材が巻かれる凹部であることを特徴とする請求項１から請求項６のいずれか一項に記載のペット用装飾具の装着補助クリップ。
【請求項８】
前記挟持部を開状態のまま保持する保持部材を備えることを特徴とする請求項１から請求項７のいずれか一項に記載のペット用装飾具の装着補助クリップ。
【発明の詳細な説明】
【技術分野】
【０００１】
本発明は、ペット用装飾具の装着補助クリップに関する。
【背景技術】
【０００２】
近年、人々の間に様々なペットが普及してきており、それらペットは、人々の生活の中でも欠かせないものになってきている。さらに、ペットの中には、例えば犬や猫などのように、ペット用装飾具を装着することによってペットを装飾することが行われている（例えば、特許文献１参照。）。
ペット用装飾具としては、リボンなどの装飾具本体と、この装飾具本体に連結された装着用の輪ゴムとを備えたものが知られている。
従来、そのようなペット用装飾具を装着する場合、以下のようにして行われていた。まず、装着作業者が、ペットの装着部位の毛をつまんで、装着用のセットペーパーを巻く。そして、巻かれたセットペーパーを指で押さえながら、そのセットペーパーに装着用の輪ゴムを巻き付ける。これによって、ペット用装飾具がペットの所望の位置に装着される。
【先行技術文献】
【特許文献】
【０００３】
【特許文献１】特開２００８−１４２０６９号公報
【発明の概要】
【発明が解決しようとする課題】
【０００４】
しかしながら、上記のような装着作業では、セットペーパーを指で押さえた状態で、ペットが動いてしまうだけでなく、毛が絡みやすくなるため、装着作業自体が困難になるという問題がある。さらに、装飾具本体が外方正面に向けられるように装着するには、より一層の熟練度が必要となる。
【０００５】
本発明は、このような事情に鑑みてなされたものであって、ペットの所望の部位において、適正方向に向けて迅速かつ容易にペット用装飾具を装着することができるペット用装飾具の装着補助クリップを提供することを目的とする。
【課題を解決するための手段】
【０００６】
上記課題を解決するために、本発明は以下の手段を提供する。
本発明は、ペットの部位のうち、ペット用装飾具の装着部位を挟持する挟持部と、前記挟持部を開閉動作させる取手部と、前記ペット用装飾具の装着部材が前記挟持部を介して着脱可能に取り付けられる取付部とを備えることを特徴とする。
【０００７】
この発明によれば、取付部に装着部材が取り付けられた状態で、かつ、挟持部によって装着部位を挟持した状態で、取付部から挟持部を介して装着部材を外方に移動させるという簡易な動作だけで、ペットの所望の部位において、適正方向に向けて迅速かつ容易にペット用装飾具を装着することができる。
【０００８】
また、本発明は、前記取付部に取り付けられた前記装着部材を、前記挟持部を介して前記挟持部の外方に向けて案内する案内部を備えることを特徴とする。
【０００９】
この発明によれば、取付部から挟持部の外方に向けて装着部材を案内することができ、迅速かつ容易にペット用装飾具を装着することができる。
【００１０】
また、本発明は、前記案内部が、前記取付部から出没可能な突起部であることを特徴とする。
【００１１】
この発明によれば、装着部材を容易に案内することができる。
【００１２】
また、本発明は、前記突起部を出没動作させる操作部を備えることを特徴とする。
【００１３】
この発明によれば、突起部を容易に出没動作させることができる。
【００１４】
また、本発明は、前記操作部が、前記取手部に設けられていることを特徴とする。
【００１５】
この発明によれば、取手部を挟持した指を離してすぐに操作部を操作することができ、突起部を迅速に出没動作させることができる。
【００１６】
また、本発明は、前記装着部材を案内する案内方向に向けて傾斜する傾斜部が、前記突起部に形成されており、前記傾斜部は、前記取付部内に没した状態におてい、前記傾斜部の後端部から先端部にわたって出動作するようになっていることを特徴とする。
【００１７】
この発明によれば、取付部に取り付けられた装着部材を、挟持部の先端から外方に向かって容易に案内することができる。
【００１８】
また、本発明は、前記傾斜部が、前記取付部内に没した状態において、前記取付部の後方から前方にわたって出動作するようになっていることを特徴とする。
【００１９】
この発明によれば、取付部に取り付けられた装着部材を、挟持部の先端から外方に向かって確実に案内することができる。
【００２０】
また、本発明は、前記突起部が、前記挟持部の幅方向の外方に向けられて対をなして設けられており、前記操作部が、前記外方に向けられて対をなして前記取手部に設けられていることを特徴とする。
【００２１】
この発明によれば、操作部を把持しやすく、突起部を対にして突出させることができ、装着部材を確実に案内することができる。
【００２２】
また、本発明は、前記突起部と前記操作部とを連結する連結部が回転可能に設けられており、前記連結部の回転動作により、前記突起部と前記操作部とが、互い違いに出没動作することを特徴とする。
【００２３】
この発明によれば、連結部が回転動作することにより、突起部と操作部とが、互い違いに出没動作することから、突起部を容易に出没させることができる。
【００２４】
また、本発明は、前記装着部材が、環状の弾性部材からなっており、前記取付部は、前記装着部材が巻かれる凹部であることを特徴とする。
【００２５】
この発明によれば、弾性部材を凹部に巻回するだけで容易に取り付けることができる。
【００２６】
また、本発明は、前記挟持部を開状態のまま保持する保持部材を備えることを特徴とする。
【００２７】
この発明によれば、挟持部を開状態に保持することができることから、装着部材を取付部に取り付け易くすることができる。さらに、開状態のまま装着部材を取付部に取り付けることができることから、装着部材が取り付けられた状態で挟持部を閉状態から開状態にする動作を省略することができ、装着部位を挟持し易くすることができる。
【００２８】
また、本発明は、前記案内部が、前記装着部材を案内する案内方向にスライド可能なスライド部であることを特徴とする。
【００２９】
この発明によれば、スライド部によって装着部材を挟持部の外方に押し出すことができる。
【００３０】
また、本発明は、前記挟持部の先端と前記取付部との間に、出没可能な凸部が設けられていることを特徴とする。
【００３１】
この発明によれば、装着部材を取付部に取り付けた状態を確実に保持することができる。
【発明の効果】
【００３２】
本発明によれば、ペットの所望の部位において、適正方向に向けて迅速かつ容易にペット用装飾具を装着することができる。
【図面の簡単な説明】
【００３３】
【図１】本発明に係る装着補助クリップの第１の実施形態を示す斜視図である。
【図２】図１の操作部を押して案内突起部を突出させた様子を示す斜視図である。
【図３】図１の後端部を押して、先端部を開状態にした様子を示す斜視図である。
【図４】ペット用装飾具を凹部に取り付ける直前の様子を示す平面図である。
【図５】図４の装着部材を取付部に取り付けた様子を示す平面図である。
【図６】図５の挟持部によってセットペーパーを挟持した様子を示す平面図である。
【図７】図６の操作部を押して、案内突起部を途中まで突出させた様子を示す平面図である。
【図８】図７の操作部をさらに押し込み案内突起部を突出させ、装着部材を外方に送り出す様子を示す平面図である。
【図９】装着部材を外方に送り出して、装着補助クリップ１を外した様子を示す平面図である。
【図１０】本発明に係る装着補助クリップの第２の実施形態を示す側面図である。
【図１１】図１０の装着補助クリップを示す平面図である。
【図１２】図１０の屈折部を展開させて、案内端部を前方にスライドさせた様子を示す側面図である。
【図１３】本発明に係る装着補助クリップの第３の実施形態を示す側面図である。
【図１４】図１３の操作部を押して案内突起部を突出させた様子を示す側面図である。
【図１５】本発明に係る装着補助クリップの第４の実施形態を示す側面図である。
【図１６】図１５の操作部を押して案内突起部を突出させた様子を示す側面図である。
【図１７】本発明に係る装着補助クリップの第５の実施形態を示す側面図である。
【図１８】図１７の操作部を押して保持用突起部を内方に没入させた様子を示す側面図である。
【図１９】本発明に係る装着補助クリップの第６の実施形態を示す平面図である。
【図２０】図１９の操作部を押して保持用突起部を内方に没入させた様子を示す平面図である。
【発明を実施するための形態】
【００３４】
（実施形態１）
以下、本発明の第１実施形態における装着補助クリップについて、図面を参照して説明する。
図１は、本発明の第１実施形態としての装着補助クリップを示したものである。
装着補助クリップ１は、例えば犬や猫などのペットを装飾するペット用装飾具Ａ（図４に示す。）を、ペットに装着するための補助具として機能するものである。
まず、ペット用装飾具Ａについて説明する。
図４に示すように、ペット用装飾具Ａは、装飾用のリボンＡ１と、このリボンをペットに装着するための輪ゴム（装着部材、弾性部材）Ａ２とを備えている。輪ゴムＡ２は、リボンＡ１の長手方向の中心に取り付けられており、ペットの毛に巻回されて装着されるものである。
【００３５】
次いで、本発明の第１実施形態としての装着補助クリップ１について説明する。
図１に示すように、装着補助クリップ１は、対をなすクリップ半体部１０，１１を備えている。
クリップ半体部１０は、板状の本体部１０ａと、この本体部１０ａの幅方向Ｗの両端部に設けられた一対のヒンジ部１０ｆとを備えている。
一対のヒンジ部１０ｆは、本体部１０ａの幅方向Ｗの両端からそれぞれ幅方向Ｗの内方側に所定間隔を空けて配置されている。すなわち、ヒンジ部１０ｆは、幅方向Ｗの内方側にオフセットされている。
本体部１０ａのうち、奥行方向Ｄの後端部１０ｄが、指で把持される取手部となり、先端部１０ｃが、ペットの装着部位を挟持する挟持部となる。また、本体部１０ａの幅寸法は、奥行方向Ｄの後端から先端にいくにしたがって、漸次小さくなっている。すなわち、奥行方向Ｄの後端の幅寸法Ｗ１は、先端の幅寸法Ｗ２よりも大きくなっている。これにより、先端部１０ｃは、奥行方向Ｄの先端にいくにしたがって幅寸法が漸次小さくなっている。
【００３６】
さらに、本体部１０ａの奥行方向Ｄの後端から先端にいくにしたがって、厚さ寸法が漸次小さくなっている。すなわち、奥行方向Ｄの後端の厚さ寸法Ｈ１は、先端の厚さ寸法Ｈ２よりも大きくなっている。これにより、先端部１０ｃは、奥行方向Ｄの先端にいくにしたがって漸次厚さ寸法が小さくなっている。
また、本体部１０ａの先端の２隅（隅部１０ｅ）は、Ｒ状に加工され面取りされている。さらに、先端部１０ｃの幅方向Ｗの両端には、幅方向Ｗの内方に没する一対の凹部（取付部）１０ｂが設けられている。凹部１０ｂは、先端部１０ｃの先端から奥行方向Ｄの後方に所定間隔を空けた位置に設けられている。また、凹部１０ｂは、緩やかな円弧状に形成されている。
さらに、本体部１０ａの外表面および側面のうち、凹部１０ｂから先端にかけては、平坦面とされている。この凹部１０ｂには、後述するように、先端部１０ｃを通されて、輪ゴムＡ２が巻回されるようになっている。
【００３７】
なお、クリップ半体部１１は、クリップ半体部１０と同一サイズ、同一形状とされているため、ここでの説明は省略する。ただし、クリップ半体部１１のヒンジ部１１ｆは、幅方向Ｗの両端に設けられている。なお、符号１１ａ，１１ｂ，１１ｃ、１１ｄ，１１ｅ，１１ｆは、順に、本体部（１１ａ）、凹部（１１ｂ、取付部）、先端部（１１ｃ、挟持部）、後端部（１１ｄ、取手部）、隅部（１１ｅ）、ヒンジ部（１１ｆ）を示している。
【００３８】
このような構成のもと、クリップ半体部１０，１１は、互いに厚さ方向に重ねられることにより、ヒンジ部１０ｆ，１１ｆの回転軸１４を介して、回転するようになっている。すなわち、クリップ半体部１０，１１が、互いに厚さ方向に重ねられることにより、ヒンジ部１０ｆは、ヒンジ部１１ｆの幅方向Ｗの内方側に近接して配されるようになっている。そして、幅方向Ｗの両端のヒンジ部１１ｆにわたって、一対のヒンジ部１０ｆを介して、回転軸１４が通されている。さらに、回転軸１４には、不図示のコイルバネ（付勢部材）が設けられている。このコイルバネは、クリップ半体部１０，１１の先端同士が当接する方向に付勢している。
【００３９】
これにより、クリップ半体部１０，１１は、外力を加えない自然状態においては、コイルバネの付勢力により、クリップ半体部１０，１１の先端同士が当接する閉状態に配されるようになっている。一方、後端部１０ｄ，１１ｄを指で把持して互いに近づく方向に力を加えると、図３に示すように、クリップ半体部１０，１１の先端同士が離れるようにして、クリップ半体部１０，１１が、回転軸１４を回転中心としてコイルバネの付勢力に抗して回転するようになっている。このように、クリップ半体部１０，１１の先端同士が離れた状態を開状態という。
このとき、断面コ字状の固定部（保持部材）１６を後端部１０ｄ，１１ｄに着脱可能に取り付けることができる。固定部１６は、後端部１０ｄ，１１ｄにわたって取り付けられることにより、付勢部材の付勢力に抗して、開状態を保持するようになっている。
【００４０】
また、図１に示すように、クリップ半体部１０の裏面には、案内部材１２，１３が設けられている。
案内部材１２は、案内突起部（突起部）１２ａと、操作部１２ｃと、これら案内突起部１２ａと操作部１２ｃとを連結する連結部１２ｂとを備えている。これら案内突起部１２ａと操作部１２ｃと連結部１２ｂは、例えば樹脂などにより一体に形成されている。
連結部１２ｂは、円弧状に延ばされて板状に形成されている。そして、連結部１２ｂは、本体部１０ａの厚さ方向に延びる回転軸１２ｄを介して、本体部１０ａの裏面に取り付けられている。これにより、連結部１２ｂは、回転軸１２ｄを回転中心として回転可能になっている。なお、回転軸１２ｄには、例えばコイルバネなどの付勢部材が設けられており、連結部１２ｂは、後端が幅方向Ｗの外方に向かい、先端が幅方向Ｗの内方に向かう方向に付勢されている。
【００４１】
操作部１２ｃは、連結部１２ｂの後端に緩やかに連続して設けられている。また、操作部１２ｃは、外力を加えない自然状態においては、本体部１０ａの後端部１０ｄから、幅方向Ｗに突出している。
案内突起部１２ａは、連結部１２ｂの先端に設けられている。また、案内突起部１２ａは、連結部１２ｂの先端から幅方向Ｗおよび奥行方向Ｄに延在して、かえし状に形成されている。この案内突起部１２ａは、外力を加えない自然状態においては、凹部１０ｂに対向した位置において、本体部１０ａ内に没入している。そして、案内突起部１２ａは、本体部１０ａ内に没入した状態で、その後端から先端にいくにしたがって幅方向Ｗの内方に向かうように傾斜している。すなわち、案内突起部１２ａの傾斜の方向に延びる傾斜線Ｇと本体部１０ａの先端辺Ｆとのなす角をθ１とした場合、なす角θ１は、本体部１０ａの側面の延在線Ｅと先端辺Ｆとのなす角θ２よりも、大きくなっている。なお、案内突起部１２ａの傾斜している部位が傾斜部となる。
【００４２】
さらに、案内部材１３は、案内部材１２と、同一形状・同一寸法に形成されている。したがって、その詳細な説明は省略する。なお、符号１３ａ，１３ｂ，１３ｃ，１３ｄは、それぞれ案内突起部（１３ａ、突起部）、連結部（１３ｂ）、操作部（１３ｃ）、回転軸（１３ｄ）を示している。
これら案内部材１２，１３は、本体部１０ａの幅方向Ｗの中心において奥行方向Ｄに延びる中心線Ｂに対して、線対称に配置されている。したがって、外力を加えない自然状態においては、操作部１２ｃ，１３ｃは、本体部１０ａの後端部１０ｄから、互いに反対方向に向けられて幅方向Ｗの外方に突出しており、案内突起部１２ａ，１３ａは、互いに幅方向Ｗの反対方向に向けられて、本体部１０ａ，１１ａ内に没入している。
【００４３】
一方、操作部１２ｃ，１３ｃを指で挟んで、互いに幅方向Ｗの内方に力を加えると、連結部１２ｂ，１３ｂが、回転軸１２ｄ，１３ｄを回転中心として正回転する。そのため、図２に示すように、操作部１２ｃ，１３ｃは、本体部１０ａ，１１ａの内方に没入していく。それに対して、案内突起部１２ａ，１３ａは、本体部１０ａ，１１ａの外方に突出していく。このとき、図７および図８に示すように、まず案内突起部１２ａ，１３ａの後端が、凹部１０ｂ，１１ｂの後方から突出し、次第に、案内突起部１２ａ，１３ａの中間部分が凹部１０ｂ，１１ｂを通って突出し、さらに、案内突起部１２ａ，１３ａの先端が、凹部１０ｂ，１１ｂの前方から突出していく。すなわち、案内突起部１２ａ，１３ａは、その後端から先端にわたって、かつ凹部１０ｂ，１１ｂの後方から前方にわたって、漸次出動作するようになっている。なお、ここでの前後、先後とは、奥行方向Ｄの前後、先後を言う。
【００４４】
さらに、この状態から指を離すと、回転軸１２ｄ，１３ｄに設けられた付勢部材の付勢力により、連結部１２ｂ，１３ｂが、回転軸１２ｄ，１３ｄを回転中心として逆回転する。これにより、図１に示すように、案内突起部１２ａ，１３ａが本体部１０ａ内に没入し、操作部１２ｃ，１３ｃが本体部１０ａの外方に突出した元の状態に戻る。すなわち、操作部１２ｃ，１３ｃは、案内突起部１２ａ，１３ａを本体部１０ａ，１１ａから出没動作させるようになっている。そして、操作部１２ｃ，１３ｃと案内突起部１２ａ，１３ａとは、連結部１２ｂ，１３ｂの回転動作により、互い違いに出没するようになっている。
【００４５】
次に、このように構成された本実施形態における装着補助クリップ１の動作について説明する。
まずは、ペット用装飾具Ａをペットに装着する前に、あらかじめ、ペット用装飾具Ａを装着補助クリップ１に以下のようにして取り付ける。
図４および図５に示すように、輪ゴムＡ２を先端部１０ｃ，１１ｃの先端を通して、凹部１０ｂ，１１ｂに巻き付ける。このとき、リボンＡ１が幅方向Ｗに向けられ、かつ本体部１０ａの外表面に平行になるように、輪ゴムＡ２の締め具合を調整する。なお、図５から図８においては、便宜上、リボンＡ１を省略している。
輪ゴムＡ２を凹部１０ｂ，１１ｂに巻き付けるときに、固定部１６を取り付けておいて、先端部１０ｃ，１１ｃを開状態にしておいてもよい。
【００４６】
次に、図６に示すように、ペットの装着部位に、毛ごと巻き込んだセットペーパーＳを設置する。このとき、セットペーパーＳの幅寸法を、先端部１０ｃ，１１ｃの幅寸法Ｗ２よりも小さくしておく。
そして、セットペーパーＳを指で把持したまま、装着補助クリップ１を取り付ける。すなわち、後端部１０ｄ，１１ｄを指で把持して、先端部１０ｃ，１１ｃを開状態にする。そして、先端部１０ｃ，１１ｃの間にセットペーパーＳを配して、後端部１０ｄ，１１ｄを把持した指を離す。これにより、先端部１０ｃ，１１ｃは、セットペーパーＳを挟んだまま閉状態となる。このとき、セットペーパーＳの幅寸法が、先端部１０ｃ，１１ｃの幅寸法Ｗ２よりも小さくなっていることから、セットペーパーＳの幅方向の隅部は、先端部１０ｃ，１１ｃの隅部１０ｅ，１１ｅよりも、幅方向Ｗの内方に配される。なお、固定部１６を後端部１０ｄ，１１ｄに取り付けているときには、先端部１０ｃ，１１ｃの間にセットペーパーＳを配した状態で、固定部１６を外すだけで、先端部１０ｃ，１１ｃが、セットペーパーＳを挟んだまま閉状態となる。
【００４７】
それから、図７に示すように、操作部１２ｃ，１３ｃを指で把持して幅方向Ｗの内方に押していく。その結果、操作部１２ｃ，１３ｃが本体部１０ａ，１１ａの内方に没入していくとともに、連結部１２ｂ，１３ｂが回転軸１２ｄ，１３ｄを回転中心として正回転する。そして、案内突起部１２ａ，１３ａの後端が、凹部１０ｂ，１１ｂの後方において、本体部１０ａ，１１ａから幅方向Ｗの外方に突出する。さらに、操作部１２ｃ，１３ｃを押し込んでいくことにより、案内突起部１２ａ，１３ａの中間部が、凹部１０ｂ，１１ｂにおいて、本体部１０ａ，１１ａから幅方向Ｗの外方に突出し、連続して、案内突起部１２ａ，１３ａの先端が、図８に示すように、凹部１０ｂ，１１ｂの前方において、本体部１０ａ，１１ａから幅方向Ｗの外方に突出する。
【００４８】
凹部１０ｂ，１１ｂには、輪ゴムＡ２が巻回されていることから、案内突起部１２ａ，１３ａは、輪ゴムＡ２を幅方向Ｗの外方に伸ばし、輪ゴムＡ２の復元力を増大させる。このとき、案内突起部１２ａ，１３ａは先端部１０ｃ，１１ｃの先端に向かって傾斜しており、案内突起部１２ａ，１３ａの後端から先端にわたって漸次突出するようになっていることから、輪ゴムＡ２は、その復元力により、案内突起部１２ａ，１３ａの傾斜に案内されて、先端部１０ｃ，１１ｃの先端から外方に向かって移動していく。すなわち、案内突起部１２ａ，１３ａは、凹部１０ｂ，１１ｂから先端部１０ｃ，１１ｃを介して輪ゴムＡ２を外方に向けて案内する案内部として機能する。
なお、案内突起部１２ａ，１３ａを突出させていくときに、輪ゴムＡ２を指で押し出すようにすれば、輪ゴムＡ２はよりスムーズに移動し、先端部１０ｃ，１１ｃの先端から外方に送り出される。
【００４９】
さらに、先端部１０ｃ，１１ｃは、セットペーパーＳを挟持していることから、先端部１０ｃ，１１ｃの先端から外方に送り出された輪ゴムＡ２は、セットペーパーＳの幅方向の両端に配されて収縮する。これにより、図９に示すように、輪ゴムＡ２は、セットペーパーＳの幅方向の両端にわたって巻回された状態になる。それから、先端部１０ｃ，１１ｃを開状態にして装着補助クリップ１を取り外すことにより、ペット用装飾具Ａは、リボンＡ１が適正方向を向いた状態でペットの装着部位に装着される。
【００５０】
以上より、本実施形態における装着補助クリップ１によれば、セットペーパーＳを先端部１０ｃ，１１ｃによって挟持した状態で輪ゴムＡ２を外方に移動させるという簡易な動作だけで、ペットの所望の部位において、適正方向に向けて迅速かつ容易にペット用装飾具Ａを装着することができる。すなわち、ペットの毛に設置したセットペーパーＳを指で挟んだ状態で輪ゴムＡ２を巻く作業が不要となるため、セットペーパーＳの外の毛を輪ゴムＡ２に絡ませることもなく、指での固定よりも安定して確実にペット装飾具Ａを装着することができる。さらに、セットペーパーＳのヨレを生じさせることなく、ペット装飾具Ａを綺麗に装着することができる。
また、セットペーパーＳを先端部１０ｃ，１１ｃによって挟持するだけで、ペット装飾具Ａを仮り止めすることができるので、種々のペット装飾具Ａを容易に試し付けすることができる。
また、案内突起部１２ａ，１３ａが設けられていることから、凹部１０ｂ，１１ｂから先端部１０ｃ，１１ｃの外方に向けて輪ゴムＡ２を案内することができ、さらに迅速かつ容易にペット用装飾具Ａを装着することができる。
また、案内突起部１２ａ，１３ａが、凹部１０ｂ，１１ｂから出没する突起であることから、ペット用装飾具Ａを容易に案内することができる。
また、操作部１２ｃ，１３ｃが設けられていることから、案内突起部１２ａ，１３ａを容易に出没動作させることができる。
【００５１】
また、操作部１２ｃ，１３ｃが後端部１０ｄ，１１ｄに設けられていることから、後端部１０ｄ，１１ｄを把持した指を離してすぐに操作部１２ｃ，１３ｃを操作することができ、案内突起部１２ａ，１３ａを迅速に出没動作させることができる。
また、案内突起部１２ａ，１３ａが先端部１０ｃ，１１ｃの先端に向かって傾斜しており、かつ、案内突起部１２ａ，１３ａの後端から先端にわたって漸次突出するようになっていることから、凹部１０ｂ，１１ｂに取り付けられた輪ゴムＡ２を、先端部１０ｃ，１１ｃの先端から外方に向かって容易に案内することができる。
また、案内突起部１２ａ，１３ａが、凹部１０ｂ，１１ｂの後方から前方にわたって漸次突出するようになっていることから、凹部１０ｂ，１１ｂに取り付けられた輪ゴムＡ２を、先端部１０ｃ，１１ｃの先端から外方に向かって確実に案内することができる。
【００５２】
また、凹部１０ｂ，１１ｂが緩やかな円弧状に形成されていることから、凹部１０ｂ，１１ｂに取り付けられた輪ゴムＡ２を容易に送り出すことができる。
また、隅部１０ｅ，１１ｅがＲ状に面取りされていることから、輪ゴムＡ２を先端部１０ｃ，１１ｃから容易に外れやすくすることができる。
また、本体部１０ａ，１１ａの外表面および側面が、凹部１０ｂ，１１ｂから前方にかけて平坦面とされていることから、輪ゴムＡ２が本体部１０ａ，１１ａに引っかかることを防止することができ、輪ゴムＡ２を先端部１０ｃ，１１ｃから容易に外れやすくすることができる。
【００５３】
また、先端部１０ｃ，１１ｃの厚さ寸法または幅寸法が、先端にいくにしたがって漸次小さくなっていることから、輪ゴムＡ２の復元力を利用して、輪ゴムＡ２を先端部１０ｃ，１１ｃから容易に外れやすくすることができる。
また、先端部１０ｃ，１１ｃが、互いに傾斜して配置されていることから、輪ゴムＡ２の復元力を利用して、輪ゴムＡ２を先端部１０ｃ，１１ｃから容易に外れやすくすることができる。
また、先端部１０ｃ，１１ｃの先端の幅寸法Ｗ２が、設置されたセットペーパーＳの幅寸法よりも大きくなっていることから、輪ゴムＡ２を先端部１０ｃ，１１ｃから容易に外れやすくすることができる。
【００５４】
また、案内部材１２，１３が、中心線Ｂに対して線対称になっていることから、操作部１２ｃ，１３ｃを把持しやすく、案内突起部１２ａ，１３ａを対称に突出させることができるだけでなく、部品点数を減少させることにより製造コストを抑制することができる。
また、連結部１２ｂ，１３ｂが回転動作することにより、操作部１２ｃ，１３ｃと案内突起部１２ａ，１３ａとが、互い違いに出没動作することから、簡易な構成により、案内突起部１２ａ，１３ａを容易に出没させることができる。
また、凹部１０ｂ，１１ｂが設けられていることから、輪ゴムＡ２を先端部１０ｃ，１１ｃに容易に巻回することができる。
また、固定部１６を取り付けて、先端部１０ｃ，１１ｃを開状態に保持することができることから、輪ゴムＡ２を巻回し易くすることができる。さらに、開状態のまま輪ゴムＡ２を取り付けることができるため、先端部１０ｃ，１１ｃを閉状態から開状態にする動作を省略することができ、セットペーパーＳを挟持し易くすることができる。
【００５５】
（実施形態２）
次に、本発明の第２の実施形態について説明する。
図１０から図１２は、本発明の第２の実施形態を示したものである。
図１０から図１２において、図１から図９に記載の構成要素と同一部分については同一符号を付し、その説明を省略する。
この実施形態と上記第１の実施形態とは基本的構成は同一であり、ここでは主として異なる点について説明する。
【００５６】
本実施形態における装着補助クリップ２０は、クリップ半体部２２，２３を備えている。クリップ半体部２２，２３には、段差部２２ａ，２３ａが形成されており、先端部１０ｃ，１１ｃの幅寸法が、後端部１０ｄ，１１ｄの幅寸法よりも小さくなっている。
また、クリップ半体部２２の外表面には、案内部材２１が設けられている。案内部材２１は、長方形状の基端部２１ａを備えている。基端部２１ａは、その一方の長辺部が後端部１０ｄの後端辺に揃えられて固定されている。基端部２１ａの他方の長辺部には、折り畳み可能な長方形状の第１の屈折部２１ｂが設けられている。さらに、第１の屈折部２１ｂには、折り畳み可能な長方形状の第２の屈折部２１ｃが設けられている。さらに、第２の屈折部２１ｃには、台形状の案内端部（案内部、スライド部）２１ｄが設けられている。
【００５７】
このような構成のもと、第１の屈折部２１ｂと第２の屈折部２１ｃとが、外方に向かって山状に折り畳まれたり、クリップ半体部２２の外表面上で展開されたりすることにより、案内端部２１ｄがクリップ半体部２２の外表面上において、奥行方向Ｄにスライドするようになっている。なお、案内端部２１ｄは、第１の屈折部２１ｂと第２の屈折部２１ｃとが折り畳まれた状態において、凹部１０ｂ，１１ｂよりも後方に配され、第１の屈折部２１ｂと第２の屈折部２１ｃとが最大に展開された状態において、凹部１０ｂ，１１ｂよりも前方に配されるようになっている。
【００５８】
次に、このように構成された本実施形態における装着補助クリップ２０の動作について説明する。
まず、図１０および図１１に示すように、第１の屈折部２１ｂと第２の屈折部２１ｃとが折り畳まれた状態で、凹部１０ｂ，１１ｂに輪ゴムＡ２を巻回する。
それから、上記第１の実施形態と同様にセットペーパーを挟持した状態で、図１２に示すように、山状に立ち上げられた第１の屈折部２１ｂを指で前方に押していく。これにより、山状に配された第１の屈折部２１ｂと第２の屈折部２１ｃとが均されるようにして前方に展開していく。このとき、案内端部２１ｄが凹部１０ｂ，１１ｂの後方から凹部１０ｂ，１１ｂを通って前方にスライドする。すなわち、案内端部２１ｄは、凹部１０ｂ，１１ｂに巻回された輪ゴムＡ２を前方に押し出す。これにより、輪ゴムＡ２は、先端部１０ｃ，１１ｃの外方に送り出される。
【００５９】
以上より、本実施形態における装着補助クリップ２０によれば、上記第１の実施形態と同様の効果を奏することができるだけでなく、案内端部２１ｄによって輪ゴムＡ２を先端部１０ｃ，１１ｃの外方に確実に押し出すことができる。  
【００６０】
（実施形態３）
次に、本発明の第３の実施形態について説明する。
図１３および図１４は、本発明の第３の実施形態を示したものである。
図１３および図１４において、図１から図１２に記載の構成要素と同一部分については同一符号を付し、その説明を省略する。
この実施形態と上記第１の実施形態とは基本的構成は同一であり、ここでは主として異なる点について説明する。
【００６１】
本実施形態における装着補助クリップ３０は、クリップ半体部３１，３２を備えている。クリップ半体部３１，３２の外方側の主面には、緩やかな円弧状の凹部３１ａ，３２ａが設けられている。凹部３１ａ，３２ａは、クリップ半体部３１，３２の外表面において、幅方向の全長にわたって形成されている。
また、クリップ半体部３１，３２の間には、対をなす案内部材３５，３６が設けられている。案内部材３５，３６は、緩やかな円弧状に形成された板状の連結部３５ｂ，３６ｂと、この連結部３５ｂ，３６ｂの後端に一体に設けられた操作部３５ｃ，３６ｃと、連結部３５ｂ，３６ｂの先端に一体に設けられた案内突起部３５ａ，３６ａとを備えている。
【００６２】
連結部３５ｂ，３６ｂは、幅方向に延びる回転軸３５ｄ，３６ｄを回転中心として回転するようになっている。なお、回転軸３５ｄ，３６ｄには不図示の付勢部材が設けられており、この付勢部材により、連結部３５ｂ，３６ｂは、操作部３５ｃ，３６ｃが突出する方向に付勢されている。
操作部３５ｃ，３６ｃは、互いに反対方向に向けられてクリップ半体部３１，３２から高さ方向Ｈに延ばされている。
案内突起部３５ａ，３６ａの先端は、互いに高さ方向Ｈの内方に向かって傾斜している。そして、案内突起部３５ａ，３６ａは、操作部３５ｃ，３６ｃが押されてクリップ半体部３１，３２内に没入することにより、凹部３１ａ，３２ａの最深部から突出するようになっている。本実施形態においては、操作部３５ｃ，３６ｃが押されてクリップ半体部３１，３２内に没入すると、案内突起部３５ａ，３６ａは、クリップ半体部３１，３２の外表面と面一に配されるようになっている。
【００６３】
次に、このように構成された本実施形態における装着補助クリップ３０の動作について説明する。
まず、図１３に示すように、凹部３１ａ，３２ａに輪ゴムＡ２を巻回する。
それから、上記と同様にセットペーパーを挟持した状態で、操作部３５ｃ，３６ｃを指で把持して押していく。これにより、図１４に示すように、連結部３５ｂ，３６ｂが回転軸３５ｄ，３６ｄを回転中心として回転し、案内突起部３５ａ，３６ａが、凹部３１ａ，３２ａの最深部から突出し、クリップ半体部３１，３２の外表面と面一に配される。
このとき、クリップ半体部３１，３２が、互いに高さ方向Ｈの内方側に向かって傾斜していることから、輪ゴムＡ２が、復元力により、凹部３１ａ，３２ａから前方に移動する。すなわち、案内突起部３５ａ，３６ａは、輪ゴムＡ２を高さ方向Ｈに伸ばすことにより、輪ゴムＡ２の復元力を増大させ、傾斜を介して先端部１０ｃ，１１ｃの外方に向けて案内する案内部として機能する。
【００６４】
以上より、本実施形態における装着補助クリップ３０によれば、上記第１の実施形態と同様の効果を奏することができるだけでなく、後端部１０ｄ，１１ｄの挟む方向と同じ方向で操作部３５ｃ，３６ｃを挟むことができ、輪ゴムＡ２を先端部１０ｃ，１１ｃの外方に容易に送り出すことができる。
【００６５】
（実施形態４）
次に、本発明の第４の実施形態について説明する。
図１５および図１６は、本発明の第４の実施形態を示したものである。
図１５および図１６において、図１から図１４に記載の構成要素と同一部分については同一符号を付し、その説明を省略する。
この実施形態と上記第１の実施形態とは基本的構成は同一であり、ここでは主として異なる点について説明する。
【００６６】
本実施形態における装着補助クリップ４０は、クリップ本体部４１と、クリップ支持部４２とを備えている。
クリップ支持部４２は、長方形状に形成されている。クリップ本体部４１は、側面視して、円弧状に形成されている。これらクリップ本体部４１とクリップ支持部４２とは、連結ヒンジ部４５を介して互いに回転可能に連結されている。すなわち、後端部（取手部）４１ｃ，４２ｃを把持して押すと、先端部（挟持部）４１ａ，４２ａが開状態に配されるようになっている。
【００６７】
先端部４１ａの外表面には、凹部４１ｂが形成されている。また、後端部４１ｃは、先端部４１ａから緩やかに肉薄にして形成されている。
さらに、クリップ本体部４１には、案内部材４３が設けられている。案内部材４３は、側面視して円弧状に形成された連結部４３ｂと、この連結部４３ｂの後端に一体に設けられた操作部４３ｃと、連結部４３ｂの先端に一体に設けられた案内突起部（案内部、突起部）４３ａとを備えている。
連結部４３ｂは、幅方向に延びる回転軸４３ｄを回転中心として回転するようになっている。回転軸４３ｄには、不図示の付勢部材が設けられており、連結部４３ｂは、操作部４３ｃが上方に向かう方向に付勢されている。
案内突起部４３ａは、連結部４３ｂの先端から、かえし状に形成されている。また、案内突起部４３ａの先端辺は、操作部４３ｃが押された状態で、先端部４１ａと面一に配されるようになっている。
【００６８】
次に、このように構成された本実施形態における装着補助クリップ４０の動作について説明する。
まず、図１５に示すように、凹部４１ｂに輪ゴムＡ２を巻回する。
それから、上記と同様にセットペーパーを挟持した状態で、操作部４３ｃと後端部４２ｃとを指で把持して押していく。これにより、図１６に示すように、連結部４３ｂが回転軸４３ｄを回転中心として回転し、案内突起部４３ａが、凹部４１ｂの最深部から突出し、先端部４１ａと面一に配される。
これにより、上記第３の実施形態と同様にして、輪ゴムＡ２が、先端部４１ａ，４２ａの外方に向けて送り出される。
【００６９】
以上より、本実施形態における装着補助クリップ４０によれば、上記第３の実施形態と同様の効果を奏することができるだけでなく、クリップ支持部４２が平坦面であることから、クリップ支持部４２を卓上に置き易くすることができる。
【００７０】
（実施形態５）
次に、本発明の第５の実施形態について説明する。
図１７および図１８は、本発明の第５の実施形態を示したものである。
図１７および図１８において、図１から図１６に記載の構成要素と同一部分については同一符号を付し、その説明を省略する。
この実施形態と上記第１の実施形態とは基本的構成は同一であり、ここでは主として異なる点について説明する。
【００７１】
本実施形態における装着補助クリップ５０は、クリップ半体部５１，５２と、保持用部材５３，５４とを備えている。
保持用部材５３，５４は、側面視してＳ字状に形成された連結部５３ｂ，５４ｂと、この連結部５３ｂ，５４ｂの後端に設けられた操作部５３ｃ，５４ｃと、連結部５３ｂ，５４ｂの先端に設けられた保持用突起部（凸部）５３ａ，５４ａとを備えている。
連結部５３ｂ，５４ｂは、Ｓ字状の中央において、幅方向に延びる回転軸５５を介して連結されている。回転軸５５には、不図示の付勢部材が設けられており、連結部５３ｂ，５４ｂは、それら先端および後端が、クリップ半体部５１，５２の外面から突出する方向に付勢されている。
【００７２】
操作部５３ｃ，５４ｃは、外力を加えない自然状態において、付勢部材の付勢力により、後端部１０ｄ，１１ｄから突出した位置に配されている。
保持用突起部５３ａ，５４ａは、外力を加えない自然状態において、付勢部材の付勢力により、先端部１０ｃ，１１ｃから突出した位置に配されている。
また、保持用突起部５３ａ，５４ａの後方において、輪ゴムＡ２が巻回されるようになっている。すなわち、クリップ半体部５１，５２のうち、突出する保持用突起部５３ａ，５４ａの後方が、輪ゴムＡ２が取り付けられる取付部５１ａ，５２ａとなる。
このような構成のもと、操作部５３ｃ，５４ｃを出没させると、連結部５３ｂ，５４ｂが、回転軸５５を回転中心として回転し、これにより、操作部５３ｃ，５４ｃの出没動作に合わせて、保持用突起部５３ａ，５４ａが出没する。
【００７３】
次に、このように構成された本実施形態における装着補助クリップ５０の動作について説明する。
まず、以下のようにして、取付部５１ａ，５２ａに輪ゴムＡ２を取り付ける。操作部５３ｃ，５４ｃを指で把持して、これら操作部５３ｃ，５４ｃを互いに近づく方向に押す。すると、連結部５３ｂ，５４ｂの後端が押され、連結部５３ｂ，５４は、回転軸５５を回転中心として、回転する。このとき、連結部５３ｂ，５４ｂの後端が互いに近づく方向に連結部５３ｂ，５４ｂが回転するので、連結部５３ｂ，５４ｂの先端も、互いに近づく方向に回転する。そのため、保持用突起部５３ａ，５４ａが、クリップ半体部５１，５２の内方に没する。
【００７４】
この状態で、図１７に示すように、先端部１０ｃ，１１ｃの先端から輪ゴムＡ２を通していき、クリップ半体部５１，５２の内方に没入した保持用突起部５３ａ，５４ａを跨いで、取付部５１ａ，５２ａに輪ゴムＡ２を巻回する。それから、操作部５３ｃ，５４ｃを把持した指を離し、操作部５３ｃ，５４ｃを解放する。すると、付勢部材の付勢力により、保持用部材５３，５４が元の位置に戻り、操作部５３ｃ，５４ｃと、保持用突起部５３ａ，５４ａとが、クリップ半体部５１，５２の外表面から突出した状態になる。
そのため、輪ゴムＡ２が先端部１０ｃ，１１ｃの先端に向かって進行すると、保持用突起部５３ａ，５４ａに当接することにより、その進行が規制される。すなわち、保持用突起部５３ａ，５４ａがクリップ半体部５１，５２の外表面から突出することにより、輪ゴムＡ２が、取付部５１ａ，５２ａにおいて、保持（ロック）される。
【００７５】
この状態から、ペットの装着部位に設置されたセットペーパーを先端部１０ｃ，１１ｃで挟持する。それから、操作部５３ｃ，５４ｃを押して、上記と同様に、保持用突起部５３ａ，５４ａをクリップ半体部５１，５２の内方に移動させる。そして、図１８に示すように、輪ゴムＡ２を先端部１０ｃ，１１ｃの先端から外方に移動させ、輪ゴムＡ２をセットペーパーに装着する。
【００７６】
以上より、本実施形態における装着補助クリップ５０によれば、上記第４の実施形態と同様の効果を奏することができるだけでなく、輪ゴムＡ２を取付部５１ａ，５２ａに取り付けた状態を確実に保持することができる。
【００７７】
（実施形態６）
次に、本発明の第６の実施形態について説明する。
図１９および図２０は、本発明の第６の実施形態を示したものである。
図１９および図２０において、図１から図１８に記載の構成要素と同一部分については同一符号を付し、その説明を省略する。
この実施形態と上記第１の実施形態とは基本的構成は同一であり、ここでは主として異なる点について説明する。
【００７８】
本実施形態における装着補助クリップ６０は、クリップ半体部６１と、保持用部材６２，６３とを備えている。
保持用部材６２，６３は、平面視してＳ字状に形成された連結部６２ｂ，６３ｂと、この連結部６２ｂ，６３ｂの後端に設けられた操作部６２ｃ，６３ｃと、連結部６２ｂ，６３ｂの先端に設けられた保持用突起部（凸部）６２ａ，６３ａとを備えている。
連結部６２ｂ，６３ｂは、Ｓ字状の中央において、クリップ半体部６１の厚さ方向に延びる回転軸６４を介して連結されている。回転軸６４には、不図示の付勢部材が設けられており、連結部６２ｂ，６３ｂは、それら先端および後端が、クリップ半体部６１の側面から幅方向Ｗに突出する方向に付勢されている。
【００７９】
操作部６２ｃ，６３ｃは、外力を加えない自然状態において、付勢部材の付勢力により、後端部１０ｄ，１１ｄの側面から突出した位置に配されている。
保持用突起部６２ａ，６３ａは、外力を加えない自然状態において、付勢部材の付勢力により、先端部１０ｃ，１１ｃの側面から突出した位置に配されている。
また、保持用突起部６２ａ，６３ａの後方は、輪ゴムＡ２が巻回される取付部６１ａとなっている。
このような構成のもと、操作部６２ｃ，６３ｃを出没させると、連結部６２ｂ，６３ｂが、回転軸６４回転中心として回転し、これにより、操作部６２ｃ，６３ｃの出没動作に合わせて、保持用突起部６２ａ，６３ａが出没する。
【００８０】
そして、上記第５の実施形態と同様にして、操作部６２ｃ，６３ｃを押して、保持用突起部６２ａ，６３ａをクリップ半体部６１の内方に移動させた状態で、輪ゴムＡ２を取付部６１ａに巻回する。さらに、図１９に示すように、操作部６２ｃ，６３ｃを解放することにより、保持用突起部６２ａ，６３ａが突出し、輪ゴムＡ２が取付部６１ａに保持される。それから、先端部１０ｃ，１１ｃがセットペーパーを挟持した状態で、操作部６２ｃ，６３ｃを押して、保持用突起部６２ａ，６３ａをクリップ半体部６１の内方に移動させる。さらに、図２０に示すように、先端部１０ｃ，１１ｃの先端を介して輪ゴムＡ２を外方に移動させ、セットペーパーに輪ゴムＡを装着する。
【００８１】
以上より、本実施形態における装着補助クリップ６０によれば、上記第５の実施形態と同様の効果を奏することができるだけでなく、保持用部材６２，６３を平面上で回転させることができるため、対をなすクリップ半体部の高さ寸法を小さくすることができる。
【００８２】
なお、本発明の技術範囲は上記第１から第６の実施形態に限定されるものではなく、本発明の趣旨を逸脱しない範囲において、種々の変更を加えることが可能である。
例えば、リボンＡ１は、紐、ビーズ、リングなどの装飾具であってもよい。
また、ペット用装飾具Ａの装着部材が、輪ゴムＡ２であるとしたが、これに限ることはなく、他の弾性部材であってもよい。
また、凹部１０ｂ，１１ｂ，３１ａ，３２ａ，４１ｂが設けられているとしたが、これに限ることはなく、凹部１０ｂ，１１ｂ，３１ａ，３２ａ，４１ｂを設けなくてもよい。この場合でも、先端部１０ｃ，１１ｃ，４１ａ，４２ａに輪ゴムＡ２を巻回することができ、先端部１０ｃ，１１ｃ，４１ａ，４２ａを取付部として機能させることができる。すなわち、取付部として特別な構成を付加することなく、先端部１０ｃ，１１ｃ，４１ａ，４２ａを取付部として輪ゴムＡ２を巻くことができる。これにより、輪ゴムＡ２を先端部１０ｃ，１１ｃ，４１ａ，４２ａの外方に容易に送り出すことができる。
また、第１実施形態において、案内部材１２，１３が設けられているとしたが、これに限ることはなく、案内部材１２，１３を設けなくてもよい。この場合でも、凹部１０ｂ，１１ｂに取り付けられた輪ゴムＡ２を指で押し出すことにより、輪ゴムＡ２をセットペーパーに容易に装着することができる。
【００８３】
また、操作部１２ｃ，１３ｃが、後端部１０ｄ，１１ｄに配されるとしたが、これに限ることはなく、先端部１０ｃ，１１ｃなどに設けてもよい。
また、案内突起部１２ａ，１３ａが、本体部１０ａ，１１ａの側面から突出するものとしているが、これに限ることはなく、本体部１０ａ，１１ａの側面に面一になるようにしてもよい。すなわち、案内突起部１２ａ，１３ａが、少なくとも凹部１０ｂ，１１ｂの最深部から突出するようにすればよい。
また、案内突起部１２ａ，１３ａが、後端から前端にわたって漸次出動作するものとしたが、これに限ることはなく、後端から前端にわたって同時に出動作するようにしてもよい。
また、案内突起部１２ａ，１３ａが、凹部１０ｂ，１１ｂの後方から前方にわたって漸次出動作するものとしたが、これに限ることはなく、一遍に出動作するようにしてもよい。
【００８４】
また、対をなす案内突起部１２ａ，１３ａを設けることなく、案内突起部１２ａ，１３ａのいずれか一方であってもよい。
また、連結部材１２ｂ，１３ｂが回転可能に設けられるとしたが、これに限ることはなく、幅方向Ｗや奥行方向Ｄに動くようにして、例えばカム面などを利用することによって、案内突起部１２ａ，１３ａを出没させてもよい。
また、固定部１６が設けられるとしたが、これに限ることはなく、固定部１６を設けなくてもよい。さらに、固定部１６が別部材として設けられているが、これに限ることはなく、クリップ半体部１０，１１，２２，２３，３１，３２，５１，５２，６１やクリップ本体部４１、クリップ支持部４１などに一体に設けられていてもよい。これにより、固定部１６の紛失を防止することができ、保管上の管理負担を軽減することができる。
また、回転軸１２ｄ，１３ｄが設けられているとしたが、これに限ることはなく、回転軸をひとつにしてもよい。この場合、案内部材１２，１３を厚さ方向に重ねればよい。
また、案内突起部１２ａ，１３ａが、操作部１２ｃ，１３ｃによって機械的機構により、出没するようにしているが、これに限ることはなく、電磁気的機構によって出没するようにしてもよい。
【００８５】
また、上記第３および第４の実施形態において、案内突起部３５ａ，３６ａ，４３ａが、面一に配されるようにしているが、これに限ることはなく、クリップ半体部３１またはクリップ本体部４１から突出するようにしてもよい。このとき、案内突起部３５ａ，３６ａ，４３ａが、傾斜するようにしてもよい。
また、上記第１から第６の実施形態およびその変形例を自由に組み合わせることができることは、言うまでもない。
【符号の説明】
【００８６】
１，２０，３０，４０，５０，６０  装着補助クリップ
１０ｂ，１１ｂ，３１ａ，３２ａ，４１ｂ  凹部（取付部）
１０ｃ，１１ｃ，４１ａ，４２ａ  先端部（挟持部）
１０ｄ，１１ｄ，４１ｃ，４２ｃ  後端部（取手部）
１２ａ，１３ａ，３５ａ，３６ａ，４３ａ  案内突起部（案内部、突起部）
２１ｄ  案内端部（案内部、スライド部）  
１２ｃ，１３ｃ，３５ｃ，３６ｃ，４３ｃ  操作部
１２ｂ，１３ｂ，３５ｂ，３６ｂ，４３ｂ  連結部
１６  固定部（保持部材）
５１ａ，５２ａ  取付部
５３ａ，５４ａ，６２ａ，６３ａ  保持用突起部（凸部）
６１ａ  取付部
Ａ  ペット用装飾具
Ａ２  輪ゴム（装着部材、弾性部材）
【図１】
0005637614.tif 000002
【図２】
0005637614.tif 000003
【図３】
0005637614.tif 000004
【図４】
0005637614.tif 000005
【図５】
0005637614.tif 000006
【図６】
0005637614.tif 000007
【図７】
0005637614.tif 000008
【図８】
0005637614.tif 000009
【図９】
0005637614.tif 000010
【図１０】
0005637614.tif 000011
【図１１】
0005637614.tif 000012
【図１２】
0005637614.tif 000013
【図１３】
0005637614.tif 000014
【図１４】
0005637614.tif 000015
【図１５】
0005637614.tif 000016
【図１６】
0005637614.tif 000017
【図１７】
0005637614.tif 000018
【図１８】
0005637614.tif 000019
【図１９】
0005637614.tif 000020
【図２０】
0005637614.tif 000021